(57)【要約】      （修正有）【課題】ランドセルの左右背負いベルトの肩当部が広がって肩からずれるのを防止し、背負い易くする肩ずれ防止具を提供する。【解決手段】ランドセルに取付けた左右一対の背負いベルト２、２を構成する肩当部３の表皮部とクッション部との間に支持される取付部の一側に、前記肩当部３の内側縁から露出する中心に芯軸を有した円柱状のガイド軸部１１を一体に設けてなる第１ベルト連結部９と、一対のベルト部２１ａ、２１ｂのそれぞれ一端に前記第１ベルト連結部９のガイド軸部１１と着脱可能に連結する可動片２３を接続し、前記ベルト部２１ａ、２１ｂの他端に雄型片３１と雌型片３５とからなる接続具３０を着脱可能に取付けた調節ベルト体２０とからなることを特徴とする。【選択図】図２
0003224222.tif 000002
【実用新案登録請求の範囲】
【請求項１】
ランドセル（１）に取付けた左右一対の背負いベルト（２、２）を構成する肩当部（３）の表皮部（４）とクッション部（５）との間に支持される取付部（１０）の一側に、前記肩当部（３）の内側縁から露出する中心に芯軸（１２）を有した円柱状のガイド軸部（１１）を一体に設けてなる第１ベルト連結部（９）と、
一対のベルト部（２１ａ、２１ｂ）のそれぞれ一端に前記第１ベルト連結部（９）のガイド軸部（１１）と着脱可能に連結する可動片（２３）を接続し、前記ベルト部（２１ａ、２１ｂ）の他端に雄型片（３１）と雌型片（３５）とからなる接続具（３０）を着脱可能に取付けた調節ベルト体（２０）とからなることを特徴とする肩ずれ防止具。
【請求項２】
前記第１ベルト連結部（９）は、肩当部（３）の表皮部（４）とクッション部（５）との間に支持される扁平で縦長に形成した取付部（１０）の一側に、中心に芯軸（１２）を有した円柱状のガイド軸部（１１）を一体に形成し、該ガイド軸部の上方には芯軸（１２）をなくして先細に形成した挿入部（１５）を設け、下方には肩当部（３）の下部に縫着固定する停止部（１６）を一体に設けてなることを特徴とする請求項１記載の肩ずれ防止具。
【請求項３】
前記ガイド軸部（１１）は、中心に設けた芯軸（１２）の周囲にクッション性を有する緩衝部（１７）を設けてなることを特徴とする請求項１または２記載の肩ずれ防止具。
【請求項４】
前記ガイド軸部（１１）は、芯軸（１２）の周囲に設けた緩衝部（１７）と、取付部（１０）の中心に設けたクッション性を有する緩衝板部（１８）とを一体に設けてなることを特徴とする請求項１ないし３のいずれか１記載の肩ずれ防止具。
【請求項５】
前記可動片（２３）は、前記ベルト部（２１ａ、２１ｂ）の一端を装着するベルト孔（２５）を設けた接続部（２４）と、前記第１ベルト連結部（９）のガイド軸部（１１）に着脱可能に装着する円筒状に形成した軸受部（２６）とを一体に設けてなり、該軸受部の軸心方向に設けた挿通孔（２７）の一側面に前記ガイド軸部（１１）のガイド部（１３）を挿通する挿通溝部（２８）を設けてなることを特徴とする請求項１記載の肩ずれ防止具。
【請求項６】
ランドセル（１）に取付けた左右一対の背負いベルト（２、２）を構成する肩当部（３、３）の表皮部（４）と同じ形状の縦長で幅広に形成した取付部（１０１）の一側に前記肩当部（３）の内側縁から露出する円柱状で中心に芯軸（１１２）を設けたガイド軸部（１１１）を一体に形成してなる第２ベルト連結部（９１）と、
一対のベルト部（２１ａ、２１ｂ）のそれぞれ一端に前記第２ベルト連結部（９１）のガイド軸部（１１１）と着脱可能に連結する可動片（２３）を接続し、前記ベルト部（２１ａ、２１ｂ）の他端に雄型片（３１）と雌型片（３５）とからなる接続具（３０）を着脱可能に取付けた調節ベルト体（２０）とからなることを特徴とする肩ずれ防止具。
【請求項７】
前記ガイド軸部（１１１）は、中心に設けた芯軸（１１２）の外周にクッション性を有する緩衝部（１１７）を設け、該ガイド軸部の上方には中心に設けた芯軸（１１２）をなくして先細に形成した挿入部（１５）を形成し、ガイド軸部（１１）の下方に設けた停止部（１６）を前記肩当部（３、３）の下方に縫着固定してなることを特徴とする請求項６記載の肩ずれ防止具。
【請求項８】
前記ガイド軸部（１１１）は、芯軸（１１２）の周囲に設けた緩衝部（１１７）と、取付部（１０）の中心に設けたクッション性を有する緩衝板部（１１８）とを一体に設けてなることを特徴とする請求項６または７記載の肩ずれ防止具。
【請求項９】
前記可動片（２３）は、前記ベルト部（２１ａ、２１ｂ）の一端を装着するベルト孔（２５）を設けた接続部（２４）と、前記第２ベルト連結部（９１）のガイド軸部（１１１）に着脱可能に装着する円筒状に形成した軸受部（２６）とを一体に設けてなり、該軸受部の軸心方向に設けた挿通孔（２７）の一側面に前記ガイド軸部（１１１）のガイド部（１１３）を挿通する挿通溝部（２８）を設けてなることを特徴とする請求項６の肩ずれ防止具。
【考案の詳細な説明】
【技術分野】
【０００１】
本考案は、登下校する学童が背負うランドセルの背負いベルトが肩からずり下がって開くのを防止して背負い易くする肩ずれ防止具の改良に関する。
【背景技術】
【０００２】
従来、学童が使用するランドセルは、教科書や副教材、さらには体操具などを収容するためかなりの重量となる。また、昨今、教育現場においても文部科学省の新学習要領に示すごとく、２０２０年から情報教育・ＩＣＴ活用教育が行われることとなった。
【０００３】
そのため、学童は日常的にタブレット型端末やノートパソコンなどのディスプレイパネルを備えた板状の電子機器を使用して授業を受けることとなる。そのため、学童は重量（４００ｇから７００ｇ）のある電子機器を登下校時にランドセルに収納して持ち運ばなければならなくなる。特に１年生から３年生までの低学年の学童にとって、重いランドセルを背負っての通学はかなりの負担となる。
【０００４】
一方、ランドセルに取付けてある背負いベルトは、学童の身長にあわせてある程度長さを調節することが可能に形成してあるが、身長が低い低学年、特に小柄な学童は背負いベルトを調整しても重いランドセルを背負うと、その重さで背負いベルトの肩当部が学童の肩からずり落ちて広がりやすい。また、背負いベルトが肩からずり落ちて広がると低学年の学童にとってランドセルの重心が下方に移動するため、より重くなって背負いにくくなる。さらに、背負いベルトが肩からずり下がって広がった状態での歩行は、ランドセルが左右に揺れて歩きにくく疲れやすい。さらにはまた、ランドセルが搖動すると収納した教科書や副教材などが傷みやすいだけでなく、ランドセルに収納した電子機器の故障の原因となる虞がある。また、背負ったランドセルが安定しないと歩行中に身体が左右にブレて歩行が危険であるなどの多くの問題点を有している。
【０００５】
そのため、ランドセルの背負いベルトが肩からずれて広がるのを防止して互いの背負いベルトの間に広がり防止用の連結ベルトを取付けてランドセルを背負い易くしてあるものが知られている（例えば、特許文献１、２参照）。
【先行技術文献】
【特許文献】
【０００６】
【特許文献１】実用新案登録第３１５２９１７号公報
【特許文献２】実用新案登録第３２２０９５９号公報
【０００７】
しかし、これらの連結ベルトは、ランドセルの背負いベルトに取付ける際、いずれもそれぞれベルト部の一端を背負いベルトの任意個所に巻きつけて装着し、取り外しができない構造である。そのため、不要時には連結具のベルト部分が下方に垂れ下がりぶらぶら状態になるため邪魔である。さらには、垂れ下がったベルト部分がぶらぶらすると、歩行中に木の枝やすれ違う車両に引っ掛かる可能性が有り、非常に危険であるなどの問題点を有している。
【考案の概要】
【考案が解決しようとする課題】
【０００８】
そこで、本考案は、背負いベルトの肩ずれによる広がりを防止するいわゆるチェストベルトを簡単に背負いベルトに着脱可能にすることにより、装着時には背負いベルトの広がりを防止してランドセルを安定させて学童が安全に登下校することができ、また、不使用時にはベルトがランドセルから垂れ下がるのを防止するため簡単に取り外して収納することにより紛失を防止することを目的とする。
【課題を解決するための手段】
【０００９】
請求項１の考案は、ランドセル１に取付けた左右一対の背負いベルト２、２を構成する肩当部３の表皮部４とクッション部５との間に支持される取付部１０の一側に、前記肩当部３の内側縁から露出する中心に芯軸１２を有した円柱状のガイド軸部１１を一体に設けてなる第１ベルト連結部９と、一対のベルト部２１ａ、２１ｂのそれぞれ一端に前記第１ベルト連結部９のガイド軸部１１と着脱可能に連結する可動片２３を接続し、前記ベルト部２１ａ、２１ｂの他端に雄型片３１と雌型片３５とからなる接続具３０を着脱可能に取付けた調節ベルト体２０とからなることを特徴とする。また、前記第１ベルト連結部９は、肩当部３の表皮部４とクッション部５との間に支持される扁平で縦長に形成した取付部１０の一側に、中心に芯軸１２を有した円柱状のガイド軸部１１を一体に形成し、該ガイド軸部の上方には芯軸１２をなくして先細に形成した挿入部１５を設け、下方には肩当部３の下部に縫着固定する停止部１６を一体に設けてなることを特徴とする。さらには、前記ガイド軸部１１は、中心に設けた芯軸１２の周囲にクッション性を有する緩衝部１７を設けてなることを特徴とする。さらにはまた、前記ガイド軸部１１は、芯軸１２の周囲に設けた緩衝部１７と、取付部１０の中心に設けたクッション性を有する緩衝板部１８とを一体に設けてなることを特徴とする。また、前記可動片２３は、前記ベルト部２１ａ、２１ｂの一端を装着するベルト孔２５を設けた接続部２４と、前記第１ベルト連結部９のガイド軸部１１に着脱可能に装着する円筒状に形成した軸受部２６とを一体に設けてなり、該軸受部の軸心方向に設けた挿通孔２７の一側面に前記ガイド軸部１１のガイド部１３を挿通する挿通溝部２８を設けてなることを特徴とする。
【００１０】
したがって、肩ずれ防止具８は、左右の背負いベルト２、２の肩当部３、３の内側縁部にそれぞれ位置させた第１ベルト連結部９に設けたガイド軸部１１の挿入部１５から調節ベルト体２０の可動片２３をそれぞれ挿通してベルト軸部１１に可動片２３を上下動可能に狭着するだけの簡単な操作で調節ベルト体２０を第１ベルト連結部９に装着することができる。また、調節ベルト体２０の各ベルト部２１ａ、２１ｂの一端に設けた雌雄型の接続具３０の一方の雄型片３１と他方の雌型片３５を学童の胸の前側で連結するだけの簡単な操作で装着することができる。したがって、この肩ずれ防止具８を背負いベルト２に取付けたことにより、重いランドセル１を背負って走っても背負いベルト２が幅方向に広がらず肩からずれ落ちる心配がない。さらには、登下校中におけるランドセル１の揺動を防止することができるので、低学年の学童でも疲れることなくランドセル１を背負うことができる。さらにはまた、この背負いベルトの肩ずれ防止具８は、不使用時には調節ベルト体２０の可動片２３をベルト軸部１１の上方に引き上げて挿入部１５から引き抜くことにより、簡単に取り外ずして収納することができるので、調節ベルト体２０の紛失を防止することができ、且つ、ベルト部２１のぶら下がりによる不慮の事故を防止することができる。
【００１１】
請求項６の考案は、ランドセル１に取付けた左右一対の背負いベルト２、２を構成する肩当部３、３の表皮部４と同じ形状の縦長で幅広に形成した取付部１０１の一側に前記肩当部３の内側縁から露出する円柱状で中心に芯軸１１２を設けたガイド軸部１１１を一体に形成してなる第２ベルト連結部９１と、一対のベルト部２１ａ、２１ｂのそれぞれ一端に前記第２ベルト連結部９１のガイド軸部１１１と着脱可能に連結する可動片２３を接続し、前記ベルト部２１ａ、２１ｂの他端に雄型片３１と雌型片３５とからなる接続具３０を着脱可能に取付けた調節ベルト体２０とからなることを特徴とする。また、前記ガイド軸部１１１は、中心に設けた芯軸１１２の外周にクッション性を有する緩衝部１１７を設け、該ガイド軸部の上方には中心に設けた芯軸１１２をなくして先細に形成した挿入部１５を形成し、ガイド軸部１１の下方に設けた停止部１６を前記肩当部３、３の下方に縫着固定してなることを特徴とする。さらには、前記ガイド軸部１１１は、芯軸１１２の周囲に設けた緩衝部１１７と、取付部１０の中心に設けたクッション性を有する緩衝板部１１８とを一体に設けてなることを特徴とする。さらにはまた、前記可動片２３は、前記ベルト部２１ａ、２１ｂの一端を装着するベルト孔２５を設けた接続部２４と、前記第２ベルト連結部９１のガイド軸部１１１に着脱可能に装着する円筒状に形成した軸受部２６とを一体に設けてなり、該軸受部の軸心方向に設けた挿通孔２７の一側面に前記ガイド軸部１１１のガイド部１１３を挿通する挿通溝部２８を設けてなることを特徴とする。
【００１２】
したがって、肩ずれ防止具８を構成する第２ベルト連結部９１の取付部１０１を背負いベルト２の肩当部の表皮部とほぼ同じ幅と長さに形成したことにより、肩当部３を縫製する際の表皮部を不要にし、縫製工程を簡略化することにより背負ベルト２の軽量化とコストの軽減を図ることができる。背負いベルト２に肩ずれ防止具８を取付けることにより、左右の背負ベルト２の横幅が広がるのを防止することができるので、重いランドセル１を背負って走っても背負いベルト２が肩からずれ落ちる心配がない。第２ベルト連結部９１のガイド軸部１１、１１１の挿入部１５から調節ベルト体２０の可動片２３をそれぞれ挿通してベルト軸部１１に可動片２３を上下動可能に狭着するだけの簡単な操作で調節ベルト体２０を装着することができる。また、調節ベルト体２０の各ベルト部２１ａ、２１ｂの一端に設けた雌雄型の接続具３０の一方の雄型片３１と他方の雌型片３５を学童の胸の前側で簡単に装着することができる。さらにはまた、この背負いベルトの肩ずれ防止具８は、不使用時には調節ベルト体２０の可動片２３をベルト軸部１１の上方に引き上げて挿入部１５から引き抜くことにより、簡単に取り外ずして収納することができるので、調節ベルト体２０の紛失を防止することができ、且つ、ベルト部２１のぶら下がりによる不慮の事故を防止することができる。
【図面の簡単な説明】
【００１３】
【図１】本考案に係る背負いベルトの肩ずれ防止具をランドセルの背負いベルトに取付けた使用状態を示す正面図である。
【図２】背負いベルトの肩ずれ防止具の要部拡大正面図である。
【図３】背負いベルトに取付けたベルト連結部のガイド軸部に調節ベルト体を取付けた使用状態を示す正面図である。
【図４】第１ベルト連結部の一部破断した要部拡大断面図である。
【図５】第１ベルト連結部を肩当部に装着した使用状態を示す要部拡大断面図である。
【図６】ガイド軸部の芯軸に緩衝部を設けた第１ベルト連結部の要部拡大断面図である。
【図７】ガイド軸部の芯軸に緩衝部、取付部の中心に緩衝板部を設けた第１ベルト連結部の要部拡大断面図である。
【図８】第２ベルト連結部の一部破断した要部拡大断面図である。
【図９】第２ベルト連結部を肩当部に装着した使用状態を示す要部拡大断面図である。
【図１０】ガイド軸部の芯軸に緩衝部を設けた第２ベルト連結部の要部拡大断面図である。
【図１１】ガイド軸部に調節ベルト体の可動片を装着した状態を示す側面図である。
【図１２】可動片の中央横断面図である。
【図１３】調節ベルト体の可動片をベルト連結部のガイド軸部に装着し使用状態を示す要部拡大断面図である。
【図１４】調節ベルト体の可動片をガイド軸部の挿入部に挿入する前状態を示す模式図である。
【図１５】調節ベルト体の可動片をガイド軸部の挿入部に挿入した状態を示す模式図である。
【図１６】調節ベルト体の可動片をガイド軸部に挿通した状態を示す模式図である。
【図１７】ベルト連結部のガイド軸部の挿入部にストッパーを取り付けた状態を示す模式図である。
【考案を実施するための形態】
【００１４】
本考案の第１の実施の形態を図面に基づいて説明すると、図１は本考案に係る背負いベルトの肩ずれ防止具をランドセルの背負いベルトに取付けた使用状態を示す正面図、図２は背負いベルトの肩ずれ防止具の要部拡大正面図、図３は背負いベルトに取付けたベルト連結部のガイド軸部に調節ベルト体を取付けた使用状態を示す正面図、図４は第１ベルト連結部の一部破断した要部拡大断面図、図５は第１ベルト連結部を肩当部に装着した使用状態を示す要部拡大断面図、図６はガイド軸部の芯軸に緩衝部を設けた第１ベルト連結部の要部拡大断面図、図７はガイド軸部の芯軸に緩衝部、取付部の中心に緩衝板部を設けた第１ベルト連結部の要部拡大断面図、図１１はガイド軸部に調節ベルト体の可動片を装着した状態を示す側面図、図１２は可動片の中央横断面図である。このランドセル１に取付ける一対の背負いベルト２、２は、図３に示す如く、背板（図示せず）の上方中央に設けた背環（図示せず）に連結する幅広の肩当部３とランドセルの底部に連結した下ベルトとを長さ調節可能に連結する連結部６を一体に形成してなり、背負いベルトの肩ずれ防止具８は、図２に示す如く、ランドセル１の背負いベルト２の肩当部３に取付ける第１ベルト連結部９と、該第１ベルト連結部に一端を連結して背負いベルト２の幅方向の広がりを防止する着脱可能な調節ベルト体２０とにより構成してある。
【００１５】
前記第１ベルト連結部９は、図４、５に示すごとく、人口皮革材または合成皮革材を二つ折りにして前記肩当部３の表皮部４とほぼ同じ縦長がで幅方向を短尺に形成した取付部１０の一側に、前記人口皮革材または合成皮革材を二つ折りに形成した取り付け部１０の折り目部に硬質合成樹脂材により形成した芯軸１２を包みこんで円柱状に形成したガイド軸部１１を前記取付部１０と一体に形成し、該ガイド軸部１１と取付部１０との基部に後記する調節ベルト体２０の可動片２３を挿通するガイド部１３を設けてある。
【００１６】
前記第１ベルト連結部９は、取付部１０を肩当部３の表皮板４とクッション部５との間に狭着して縫着固定し、ガイド軸部１１は、図５に示す如く、ガイド軸部１１を肩当部３の内側縁から露出させると共に、ガイド軸部１１全体を肩当部３の内側縁に沿って緩やかに湾曲させて取付けてある。
【００１７】
また、ガイド軸部１１は、図３に示すごとく、上方に前記調節ベルト体２０の可動片２３を挿入する挿入部１５を先細に形成し、このガイド軸部１１の下方に設けた停止部１６を肩当部２の下方に埋設して縫着固定し、ガイド軸部１１に挿通した可動片２３が脱落するのを防止してある。
【００１８】
前記第１ベルト連結部９は、図６に示すごとく、ガイド軸部１１の中心に設けた芯軸１２の周囲にクッション性を有する緩衝部１７を介在させて形成してある。この芯軸１２に緩衝部１７を設けてガイド軸部１１全体に弾力性をもたせ、該ガイド軸部と挿通する可動片２３との摩擦抵抗を大きくすることができる。したがって、ガイド軸部１１に装着した調節ベルト体２０が歩行中の振動や衝撃などでずり下がるのを防止することができる。また、前記クッション部分は、図７に示すごとく、ガイド軸部１１の芯軸１２に装着した緩衝部１７の他、ガイド軸部１１一側に設けた取付部１０の中心にクッション性を有する緩衝板部１８を介在させて形成してもよい。
【００１９】
前記調節ベルト体２０は、図２に示す如く、一対のベルト体２１ａ、２１ｂと、該ベルト体の一端に取付ける硬質合成樹脂材により形成した可動片２３と、前記ベルト体２１の他端に取付ける硬質合成樹脂材により形成した雌雄一対で着脱可能に形成した雄型片３１と雌型片３５とからなる接続具３０とにより構成してある。
【００２０】
前記一対のベルト体２１は、それぞれ合成繊維素材を所定幅（１５ｍｍから３０ｍｍ、好ましくは、２０ｍｍ）に形成し、ベルト体２１ａは、長尺で１３０ｍｍから１８０ｍｍ、好ましくは、１５０ｍｍに形成し、ベルト体２１ｂは、短尺な７０ミリから１２０ｍｍ、好ましくは、９０ｍｍの長さに形成してある。
【００２１】
前記可動片２３は、図１１、１２に示すごとく、全体を硬質合成樹脂材により形成し、一端に設けた接続部２４とベルト孔２５の上下方向全体を湾曲させ、他端に前記第１ベルト連結部９または第２ベルト連結部９１のガイド軸部１１、１１１に着脱可能に挿通する円筒状の軸受部２６を一体に形成してある。この軸受部２６は、中央軸心方向に前記ガイド軸部１１、１１１が挿通する挿通孔２７を設け、該挿通孔の一側に前記ガイド軸部１１、１１１のガイド部１３、１１３が挿通する挿通溝部２８を設けてある。
【００２２】
この可動片２３の接続部２４全体を緩やかに湾曲させたことにより、ベルト体２１に接続具３０を接続して左右方向にベルト体２１が引っ張られたとき、ベルト体２１に平均した緊張力が作用するため、ベルト体２１が上側または下側に偏るのを防止することができる。
【００２３】
前記接続具３０は、可動片２３の一端に取付けたベルト部２１ａの他端に、ベルトの長さを調節する調節部（図示せず）を介して雄型片３１を連結し、同じく可動片２３の一端に取付けたベルト部２１ｂの他端に雌型片３５を連結してある。この調節ベルト体２０に取付けた接続具３０を着脱することにより背負いベルト２が幅方向に広がるのを防止することができる。また、接続具３０は、雌型片３１と雄型片３５とを簡単に着脱することが可能であることから低学年の学童でも簡単に操作することができる。
【００２４】
さらに、肩ずれ防止具８を背負いベルト２に装着後、調節ベルト体２０が幅方向に引っ張られた場合、可動片２３を硬質合成樹脂材により形成してあること、およびガイド軸部１１の芯軸１２も硬質合成樹脂材で形成してあることから変形しにくいため可動片２３がガイド軸部１１から離脱する恐れはない。
【００２５】
また、万一、幅方向への強い引張力が生じてガイド軸部１１が変形しても硬質合成樹脂材により形成した芯軸１２の直径が同じく硬質合成樹脂材により形成した挿通溝部２８の幅より大径に形成してあるため、軸受部２６の挿通溝部２８からガイド軸部１１が離脱する恐れはなく安全に使用することができる。
【００２６】
本考案の第２の実施の形態を図面に基づいて説明すると、図８は第２ベルト連結部の一部破断した要部拡大断面図、図９は第２ベルト連結部を肩当部に装着した使用状態を示す要部拡大断面図、図１０はガイド軸部の芯軸に緩衝部を設けた第２ベルト連結部の要部拡大断面図である。この第２ベルト連結部９１は、図８に示す如く、人口皮革材または合成皮革材を二つ折りにして全体を前記肩当部３の表皮部４とほぼ同じ幅と長さに形成した取付部１０１を設け、前記二つ折りにした取付部１０１の折り目部に硬質合成樹脂材により形成した芯軸１１２を包みこんで円柱状のガイド軸部１１３を設けて一体に形成してある。  
【００２７】
前記第２ベルト連結部９１の取付部１０１を背負いベルト２の肩当部３に設けた表皮部４とほぼ同じ幅と長さに形成したことにより、図９に示す如く、クッション部５の表面側に直接取付部１０１を縫着することができるので縫製工程において、表皮部を不要とすることができるので背負いベルト２の軽量化を図り、また、縫製工程を簡略化することによりコストの軽減化を図ることができ経済的である。
【００２８】
前記第２ベルト連結部９１は、図１０に示すごとく、ガイド軸部１１１の中心に設けた芯軸１１２の周囲にクッション性を有する緩衝部１１７を介在させて形成してある。また、前記クッション部分は、図７に示す第１ベルト連結部９の実施例と同様に、取付部１０１の中心にクッション性を有する緩衝板部を介在させて形成してもよいことは勿論である。
【００２９】
このガイド軸部１１１の中心に設けた芯軸１１２の周囲に緩衝部１１７を介在させて形成したことにより、ガイド軸部１１１に弾力性をもたせ、該ガイド軸部に挿通した可動片２３との摩擦抵抗を大きくすることにより、ガイド軸部１１に装着した調節ベルト体２０が歩行中の振動や衝撃などでずり下がるのを防止することができる。
【００３０】
本考案にかかる肩ずれ防止具８の第２ベルト連結部９１を構成するガイド軸部１１１は、挿入部１５及び停止部１６は、前記第１ベルト連結部９のガイド軸部１１と同一であることから同一符号を使用した。また、調節ベルト体２０は、前記第１ベルト連結部９に取付ける調節ベルト体２０と同一であることから、説明が重複するため説明を省略する。
【００３１】
肩ずれ防止具８を背負いベルト２に取付ける説明は、第１ベルト連結部９と可動片２３を使用して説明する。図１４に示す如く、あらかじめ背負いベルト２の肩当部３に取付けてある第１ベルト連結部９の挿入部１５の先端に調節ベルト体２０の可動片２３の軸受部２６の下端をあて、挿通溝部２８を挿入部１５に侵入させながらガイド軸部１１を挿入孔２７に挿入し、ガイド部１３を挿通溝部２８に挿通する（図１５）。
【００３２】
次いで、可動片２３をガイド軸部１１に沿って下方にスライドさせると、第１ベルト連結部９のガイド部１３に挿通溝部２８がガイドされ、第１ベルト連結部９のガイド軸１１が軸受部２６の挿通孔２７に挿入して簡単に取付けることができる。
【００３３】
前記第１ベルト連結部９のガイド軸部１１に挿通した調節ベルト体２０の可動片２３は、ガイド軸部１１の下端に設けた停止部１６を肩当部３の下部に縫着固定してあるため可動片２３が下方から脱落するおそれはない。
【００３４】
また、ガイド軸部１１は、図１７に示す如く、調節ベルト体２０の可動片２３をガイド軸部１１に挿通した後、肩当部３の挿入部１５付近にストッパー４０を着脱可能に取付けることにより、可動片２３がガイド軸部１１の上方から引き抜かれるのを防止することができる。このストッパー４０の表面に任意の装飾部や反射部を設けてもよいことは勿論である。
【００３５】
前記した如く、ランドセル１を背負う学童の肩幅に左右の背負いベルト２の幅に合わせて調節ベルト体２０のベルト部２１の長さを調整した後、接続具３０の雄型片３と雌型片３５を互いに嵌合して連結することにより、背負いベルト２が所定幅に位置し、幅方向に広がるのを防止することができる。
【００３６】
背負いベルト２が幅方向に広がらないので、背負いベルト２の肩ずれを防止でき歩行中のランドセル１の揺動を防止することができ、また、低学年の学童でも疲れることなくランドセル１を背負うことができる。
【００３７】
この背負いベルトの肩ずれ防止具８の不使用時には、調節ベルト体２０の可動片２３をベルト軸部１１の上方に引き上げて挿入部１５から抜くことにより、簡単に取り外して収納することができるので調節ベルト体２０の紛失や、ベルト部の垂れ下がりによる不慮の事故を防止することができる。
【００３８】
以下、本考案の実施の形態の作用について説明すると、ランドセル１の背負いベルト２に取付ける肩ずれ防止具８は、背負いベルト２の肩当部３に取付ける第１ベルト連結部９と、背負いベルト２、２を所定幅で連結する調節ベルト体２０とからなり、前記第１ベルト連結部９は、あらかじめ肩当部３の表皮板４とクッション部５との間に取付部１０を介在させて縫着固定してある。
【００３９】
次いで、図１４に示す如く、肩当部３の内側縁に位置したガイド軸部１１の上方に位置した挿入部１５から調節ベルト体２０の可動片２３の軸受部２６の下端をあて、次いで、挿通孔２７と挿通溝部２８に挿入部１５を挿入しながらガイド軸部１１のガイド部１３を挿通溝部２８に挿通する（図１５）。
【００４０】
さらに、可動片２３をガイド軸部１１に沿って下方にスライドさせると、第１ベルト連結部９のガイド部１３に挿通溝部２８がガイドされ、第１ベルト連結部９のガイド軸１１が軸受部２６の挿通孔２７に篏合して簡単に取付けることができる（図１６）。
【００４１】
前記第１ベルト連結部９のガイド軸部１１に挿通した調節ベルト体２０の可動片２３は、ガイド軸部１１の下端に設けた停止部１６を肩当部３の下部に縫着固定してあるため可動片２３が下がっても下方から脱落するおそれはない。
【００４２】
前記第１ベルト連結部９のガイド軸部１１に調節ベルト体２０の可動片２３を挿通すると、軸受部２６の挿通溝部２８がガイド軸部１１のガイド部１３に沿って上下動して適正な位置に停止させることができる。また、装着後、調節ベルト体２０が幅方向に強く引っ張られた場合、可動片２３が硬質合成樹脂材により形成してあること、およびガイド軸部１１の芯軸１２が硬質合成樹脂材で形成してあることから変形しにくいため可動片２３がガイド軸部１１から離脱する恐れはない。さらには、芯軸１２にクッション性を有する緩衝部１７を設けたことによりガイド軸部１１の径を大径に形成したことにより可動片２３がガイド軸部１１から離脱する恐れはない。
【００４３】
また、万一、幅方向の強い引張力によりガイド軸部１１が変形した場合、硬質合成樹脂材により形成した芯軸１２の直径が同じく硬質合成樹脂材により形成した挿通溝部２８の幅より大径に形成してあるため、軸受部２６の挿通溝部２８からガイド軸部１１が離脱する恐れはなく安全に使用することができる。
【００４４】
前記肩ずれ防止具８は、ランドセル１を背負う学童の肩幅に背負いベルト２に可動片２３を取付けた調節ベルト体２０のベルト部２１ａ、２１ｂの幅を調整した後、左右の接続具３０の雄型片３１と雌型片３５を互いに連結する。したがって、背負いベルト２が幅方向に広がらないので肩ずれを防止することができ、登下校時において学童が安定してランドセルを背負うことができる。また、背負いベルト２が安定することにより低学年の学童でも疲れることなくランドセル１を背負うことができる。さらには、前記した調節ベルト体２０のベルト部２１の幅調整は、背負いベルトに取付ける前にあらかじめ調整することができるのは勿論である。
【００４５】
この肩ずれ防止具８を構成する調節ベルト体２０は、不使用時に可動片２３をベルト軸部１１の上方の挿入部１５から引き抜くことにより、簡単に取り外して収納することができるので紛失を防止でき便利であると共に、不使用時におけるベルト部２１のぶら下がりによる不慮の事故を防止することができる。
【００４６】
第２ベルト連結部９１を肩当部３に取付ける場合、取付部１０１は肩当部３の表皮部４とほぼ同じ幅と長さに形成してあることから表皮部の代わりに取付部１０１を取付けることにより表皮部を不要とすることができる。したがって、背負いベルト２の軽量化を図り、また、縫製工程を簡略化することによりコストの軽減化を図ることができ経済的である。第２ベルト連結部９１に連結する調節ベルト体２０は、前記第１ベルト連結部９に取付けた調節ベルト体２０と同一であることからここでの説明を省略する。
【００４７】
前記第１ベルト連結部９または第２ベルト連結部９１は、ガイド軸部１１、１１１の中心に設けた芯軸１２、１１２の周囲にクッション性を有する緩衝部１７、１１７を介在させて形成したことにより、ガイド軸部１１、１１１全体に弾力性をもたせ、該ガイド軸部に挿通した可動片２３との摩擦抵抗を大きくすることにより、ガイド軸部１１、１１１に装着した調節ベルト体２０が歩行中の振動や衝撃などでずり下がるのを防止することができる。また、前記クッション部分は、芯軸１２だけでなくガイド軸部１１に連通する取付部１０、１０１の中心に緩衝板部１８を設けて肩当部３の緩衝効果を図ることもできる。  
【００４８】
以上、述べた如く、背負ベルトの肩ずれ防止具８は、第１ベルト連結部９、または、第２のベルト連結部９１に調節ベルト体２０を簡単に着脱可能に取付けることにより背負ベルト２の幅方向への広がりを防止することができ、また、低学年の学童の胸元でも適正な位置に取付けることができる。さらには、登下校中にランドセルが左右に揺れることなく安定して背負うことができるので、疲れにくく快適に背負うことができる。
【符号の説明】
【００４９】
１      ランドセル
２      背負いベルト
３      肩当部
６      連結部
８      肩ずれ防止具
９      第１ベルト連結部
１０    取付部
１１    ガイド軸部
１２    芯軸
１３    ガイド部
１５    挿入部
１６    停止部
１７    緩衝部
２０    調節ベルト体
２１    ベルト部
２３    可動片
２４    接続部
２５    ベルト孔
２６    軸受部
２７    挿通孔
２８    挿通溝部
３０    接続具
３１    雄型部
３５    雌型部
９１    第２ベルト連結部
１０１  取付部
１１１  ガイド軸部
１１２  芯軸
１１３  ガイド部
【図１】
0003224222.tif 000003
【図２】
0003224222.tif 000004
【図３】
0003224222.tif 000005
【図４】
0003224222.tif 000006
【図５】
0003224222.tif 000007
【図６】
0003224222.tif 000008
【図７】
0003224222.tif 000009
【図８】
0003224222.tif 000010
【図９】
0003224222.tif 000011
【図１０】
0003224222.tif 000012
【図１１】
0003224222.tif 000013
【図１２】
0003224222.tif 000014
【図１３】
0003224222.tif 000015
【図１４】
0003224222.tif 000016
【図１５】
0003224222.tif 000017
【図１６】
0003224222.tif 000018
【図１７】
0003224222.tif 000019